(57)【要約】【課題】  複数の人が録再操作を行う記録メディアに対し行われる、記録者以外によるコンテンツの消去、不許可コンテンツの視聴を防ぐことにある。【解決手段】  コンテンツを複数の時間間隔により分割した信号とし、その分割信号は記録開始位置のポインタと、そのコンテンツの視聴、又は消去に係る許可フラグ情報と、復号又は消去に係る許可を得るためのパスワード情報とを含むヘッダ信号を構成し、分割されたコンテンツと同一の記録メディアに記録するようにし、その記録メディアの再生は許可フラグ情報を有するコンテンツ、及びユーザが入力したパスワードの認証がなされたときに視聴、及び消去操作を行えるようにして実現した。【選択図】      図１
2006179174.tif 000002
【特許請求の範囲】
【請求項１】
時系列に送られてくる番組映像信号を複数に分割して記録媒体に記録する映像信号の記録方法において、
前記分割された番組映像信号の中の所定箇所の消去を禁止する消去禁止フラグと前記消去禁止フラグを解除するパスワードとが同一セル内に記述された再生セルを複数設け、
前記複数の再生セルをリスト化した再生リストを作成し、
前記作成された再生リストと、前記時系列に送られてきた前記分割された番組映像信号とを前記記録媒体に記録することを特徴とする映像信号の記録方法。
【請求項２】
時系列に送られてくる番組映像信号を複数に分割して記録媒体に記録する映像信号記録装置において、
前記分割された番組映像信号の中の所定箇所の消去を禁止させるための消去禁止フラグと前記消去禁止フラグを解除するパスワードとが同一セル内に記述された再生セルを複数設けた再生リストを作成する再生リスト作成手段と、
前記作成された再生リストと、前記時系列に送られてきた前記分割された番組映像信号とを前記記録媒体に記録する記録手段と、
を備えたことを特徴とする映像信号記録装置。
【請求項３】
請求項２における映像信号記録装置を用いて、前記再生リストと、前記時系列に送られてきた前記分割された番組映像信号とが記録されていることを特徴とする映像信号の記録媒体。
【発明の詳細な説明】
【技術分野】
【０００１】
本発明は、記録媒体に情報を記録もしくは再生する映像信号の記録方法、映像信号記録装置、及び映像信号の記録媒体に関するもので、特に光ディスク、ビデオデータ編集装置、コンピュータ読み取り可能な編集プログラムを記録した記録媒体、光ディスクの再生装置、コンピュータ読み取り可能な再生プログラムを記録した記録媒体に関する。
【背景技術】
【０００２】
従来より、映像信号などの記録にはビデオテープを用いるＶＴＲが使用されてきたが、最近になりランダムアクセスが可能であるＨＤＤ（ハードディスクドライブ）やＤＶＤ−ＲＡＭ（Random Access Memory 型 Digital Versatile Disc）などの記録容量が増加し、それらの円盤形記録媒体を用いるディスクレコーダが実用化されるようになってきた。
【０００３】
そのディスクレコーダは、例えばＭＰＥＧ（moving picture experts group）により規定される符号化方式で符号化して得られるコンテンツデータを円盤形記録媒体に記録し、再生するものであり、そのようなランダムアクセス性の優れた記録媒体に対する記録、再生はそれらの複数の動作を同時に行なうことができる等の特徴を有しており複数のユーザによる使用も可能とされる。
【０００４】
例えば、その円盤形記録媒体を用いる記録再生装置を家庭の中心に設置し、その装置をホームサーバーとして用い、家庭の構成員の各々はホームサーバーに対して映像信号の記録、及び再生を行なうようにするものである。
【０００５】
そのようにして、共通の記録再生装置を複数の人で使用する場合、そこに記録された映像信号は他の人により消去されたり、あるいは視聴されたりすることを防ぐ必要もあり、記録した内容の消去、視聴に対して記録した番組（コンテンツ）を指定し、その指定されたコンテンツの部分毎に暗証番号を用いて保護する方法が考えられる。
【０００６】
そのコンテンツを分割し、分割されたコンテンツに対して暗号処理を行うコンテンツの管理方法は、分割したコンテンツ毎にヘッダ信号を付加して記録媒体に記録し、そのヘッダ信号中に記録される暗号化、非暗号化のフラグ情報を用いて行なうことが出来る。
【０００７】
そのようなコンテンツを分割してヘッダ信号を付加して記録し、そのヘッダ信号を基に再生を行う方法は、例えば複数の番組が記録コンテンツとして記録されるコンテンツデータを分割された番組毎に管理するリスト情報を用いることにより、記録メディア、ないしはデータベースに記録される番組データ情報を再度コピーしたり、書き替えたりすることなしに、単一記録メディアに記録されたままの信号を用いて映像の視聴ができる。そして、そのような映像再生方法は映像編集装置により行われている方法とも類似している。
【０００８】
その類似する方法である映像編集は、複数の番組であるコンテンツデータが収録されているファイルと、コンテンツデータ内の複数の部分区間を指定して区間の始点、及び終点を示すポインタ情報を組み合わせることにより、再生手順を指定するようにして再生リスト情報を生成し、その再生リストを基に生成された映像信号をコンテンツデータとして出力するようにする。
【０００９】
そして、そのように生成されるコンテンツデータは、それぞれの再生リスト情報を基にして、編集素材として選択された映像部分のそれぞれが指定される順番に再生され、編集された映像信号として出力される。
【００１０】
その様にして、ユーザにより作成される複数の再生リストに対するコンテンツデータも、それぞれの再生リストに基づく再生ポインタ情報が増すだけであり、大容量のコンテンツデータのコピー処理をするなど重複して記録することなく、複数の再生リストに基づく編集済み映像信号を供給することが出来るなど、記録メディアの容量を効率よく使用できる再生方式を実現できる。
【００１１】
そのようなリスト情報を用いて行う他の再生方法として、単一記録媒体での映像編集を実現する方法、例えば複数のＡＶ（Audio Visual）データが記録されているＡＶファイルと、ＡＶデータ内の複数の部分区間をポインタにより指定したＰＧＣ（Program Chain）情報とが複数記録されているＲＴＲＷ（Realtime Rewritable）管理ファイルを用いる記録再生装置、ないしは映像信号編集装置がある。
【００１２】
そして、そのＰＧＣ情報は、映像信号にポインタが付されて分割映像信号であるセル情報が定義され、そのセル情報のうち編集素材として選択されたものが指定され再生される。
【００１３】
また、それらのセル情報で構成されるＡＶデータの再生方法を規定する管理ファイルは、最初はユーザ定義タイプＰＧＣ情報の仮決め順序により規定されて再生されるが、次にビデオデータ編集装置により再生順序が定められたときは、その定められたデータ順序を更新された再生順序とするようになされるビデオデータ編集装置の構成が特開平１１−１８７３５４号公報「光ディスク、ビデオデータ編集装置、編集プログラムを記録したコンピュータ読み取り可能な記録媒体、光ディスクの再生装置、再生プログラムを記録したコンピュータ読み取り可能な記録媒体」に開示されている。
【特許文献１】特開平１１−１８７３５４号公報
【発明の開示】
【発明が解決しようとする課題】
【００１４】
ところで、近年の記録メディアは大容量化傾向にあり、ひとつの記録媒体に家族やグループ全員のコンテンツの記録をする形態が導入されつつあり、そのような形態の記録では個人が記録したコンテンツには他人により消去がなされたり、視聴されたりするような操作を禁止するためのプライバシーロック機構が必要である。
【００１５】
ただ単に、記録媒体を複数の人で共有するような記録再生装置においては、そのような記録番組の消去、希望しない他人による視聴に対する禁止の配慮がなされていないため、コンテンツを記録した以外の人がそのコンテンツを消去する、あるいは許可のされない視聴がされてしまうといった課題がある。
【００１６】
そこで、本発明は記録媒体に記録されるコンテンツデータに対して、特定の区間の始点、終点を示すポインタ情報を組み合わせて再生手順を指定する再生リスト情報を持ち、その再生リストに従って再生する再生装置において、特定の再生リストにはパスワードをリンクして記録し、ユーザが入力するパスワードと認証して一致した場合にのみ再生を許可するようにした。
【００１７】
また、記録媒体に記録されるコンテンツデータに対して、特定の区間の始点、終点を示すポインタ情報を組み合わせて再生手順を指定する再生リスト情報を記録するような記録装置において、特定の再生リストにはパスワードをリンクして記録することにより、パスワードの認証がなされたときにのみ再生を許可するようにした。
【００１８】
さらにまた、記録メディアには、記録媒体に記録されているコンテンツデータに対して、特定の区間の始点、終点を示すポインタ情報を組み合わせて再生手順を指定する再生リスト情報と、特定の再生リストにパスワードをリンクして記録するようにし、パスワードの認証がなされたときにのみ再生を許可するようにしたものである。
【課題を解決するための手段】
【００１９】
本発明は、上記課題を解決するために以下の１）〜３）の手段より成るものである。
すなわち、
【００２０】
１）  時系列に送られてくる番組映像信号を複数に分割して記録媒体に記録する映像信号の記録方法において、
前記分割された番組映像信号の中の所定箇所の消去を禁止する消去禁止フラグと前記消去禁止フラグを解除するパスワードとが同一セル内に記述された再生セルを複数設け、
前記複数の再生セルをリスト化した再生リストを作成し、
前記作成された再生リストと、前記時系列に送られてきた前記分割された番組映像信号とを前記記録媒体に記録することを特徴とする映像信号の記録方法。
２）  時系列に送られてくる番組映像信号を複数に分割して記録媒体に記録する映像信号記録装置において、
前記分割された番組映像信号の中の所定箇所の消去を禁止させるための消去禁止フラグと前記消去禁止フラグを解除するパスワードとが同一セル内に記述された再生セルを複数設けた再生リストを作成する再生リスト作成手段と、
前記作成された再生リストと、前記時系列に送られてきた前記分割された番組映像信号とを前記記録媒体に記録する記録手段と、
を備えたことを特徴とする映像信号記録装置。
３）  請求項２における映像信号記録装置を用いて、前記再生リストと、前記時系列に送られてきた前記分割された番組映像信号とが記録されていることを特徴とする映像信号の記録媒体。
【発明の効果】
【００２１】
請求項１記載の発明によれば、ユーザにより指定されて供給される再生セルリストに基づいた消去を行うに際し、パスワードによりロックされたコンテンツデータは、ユーザが操作して供給されるパスワードとの認証作業が行われ、認証された場合にのみ消去動作を行うため、特定個人が記録したコンテンツの消去動作をロックすることができ、コンテンツの不意な消去を防止するプライバシーロック機能を有するコンテンツの記録方法を提供できる効果がある。
請求項２記載の発明によれば、ユーザにより指定されて供給される再生セルリストに基づいた消去を行うに際し、パスワードによりロックされたコンテンツデータは、ユーザが操作して供給されるパスワードとの認証作業が行われ、認証された場合にのみ消去動作を行うため、特定個人が記録したコンテンツの消去動作をロックすることができ、コンテンツの不意な消去を防止するプライバシーロック機能を有するコンテンツ記録装置を提供できる効果がある。
請求項３記載の発明によれば、ユーザにより指定されて供給される再生セルリストに基づいた消去を行うに際し、パスワードによりロックされたコンテンツデータは、ユーザが操作して供給されるパスワードとの認証作業が行われ、認証された場合にのみ消去動作が行われるため、特定個人が記録したコンテンツの消去動作をロックすることができ、コンテンツの不意な視聴及び消去を防止するプライバシーロック機能を有するコンテンツの記録媒体を提供できる効果がある。
【発明を実施するための最良の形態】
【００２２】
以下、本発明の映像信号の記録方法、映像信号記録装置、及び映像信号の記録媒体の実施形態につき、好適な実施例により説明する。
図１は、その映像信号の記録方法、映像信号記録装置、及び映像信号の記録媒体の実施に係るパーソナルロック記録再生装置の概略ブロック図であり、その構成と動作について概説する。
【００２３】
同図に示すパーソナルロック記録再生装置１０は、映像信号入力端子１１、ＭＰＥＧエンコーダ１２、信号書き込み器１３、ユーザ操作端子１５、ユーザインタフェース１６、再生リスト作成器１７、パスワード管理器１９、記録メディア２１、映像信号端子３１、ＭＰＥＧデコーダ３２、信号読み出し器３３、ユーザ操作端子３５、ユーザインタフェース３６、再生リスト指示器３７、再生制御器３８、及びパスワード管理器３９より構成される。
【００２４】
次に、そのように構成されるパーソナルロック記録再生装置１０の動作について述べる。
まず、デジタル信号に変換されたデジタル映像信号は映像信号入力端子１１を介してＭＰＥＧエンコーダ１２に供給され、ここではＭＰＥＧ（moving picture experts group）により規定された圧縮符号化方式によって符号化され、符号化して得られる符号化信号は信号書き込み器１３に供給される。
【００２５】
その信号書き込み器１３には、ユーザ操作端子１５を介してＭＰＥＧエンコーダで符号化される符号化信号を分割して記録するための分割方法、及び分割された信号に対する後述のパスワード管理を含めた再生リスト信号がユーザインタフェース１６、再生リスト作成器１７、パスワード管理器１９により作成され、その作成された再生リスト信号も併せて供給される。
【００２６】
このようにして供給された符号化信号、及び再生リスト信号は信号書き込み器１３により記録メディア２１に記録されるためのフォーマットの信号に変換され、誤り訂正信号が付加され、デジタル変調処理がなされて記録メディア２１に供給されて記録される。
【００２７】
その記録メディア２１に記録された信号はユーザ操作により再生されるが、次にその再生動作について述べる。
まず、ユーザ操作端子に接続されるキーパッド、ないしはポインティングディバイスにより再生すべき映像信号の記録部分が例えば映像信号に多重されて表示される再生リストより選択、操作がなされる。
【００２８】
選択されたリスト部分に係る再生リスト信号はユーザインタフェース３６、及びパスワード管理器３９を介して再生リスト作成器３７に供給され、再生リスト作成器３７ではその再生リスト部分の信号読み出し要求は信号読み出し器３３により伝送され、信号読み出し器３３では記録メディア２１に記録されるその再生リスト信号が読み出され、その読み出された再生リスト信号は再生リスト作成器３７に供給される。
【００２９】
その再生リスト作成器３７では、供給された再生リスト信号にその再生リスト部分再生のためのパスワードが設定されているときは、ユーザ操作によるパスワードの供給を受けて後に、又はそのパスワードの設定がなされていないときは信号読み出し器３３により再生リストに係る部分の再生を行うための制御信号が供給され、記録メディアに記録される符号化されたディジタル映像信号が読み出され、読み出された信号は再生制御器３８に供給される。
【００３０】
その再生制御器３８では、パスワードの設定されるデジタル映像信号に対してはパスワードが供給されて認証されるまでスチル状態とされ、そのパスワードの認証後、又はパスワードの設定がなされていないときは供給されるデジタル映像信号はＭＰＥＧデコーダ３２に供給される。
【００３１】
そのＭＰＥＧデコーダ３２では、圧縮符号化されたデジタル映像信号の復号が行われてデジタル映像信号が得られ、その得られたデジタル映像信号は映像信号出力端子３１に接続される、図示しないモニタＴＶに供給されて、付随される音響信号と共に発音、表示される。
【００３２】
このようにして、再生リスト毎に分割されて記録されたデジタル映像信号は、その分割された映像信号毎に付加される再生リスト情報に基づいて、パスワードの設定がなされていないときはそのまま、パスワードの設定がなされているときはその認証処理後に記録メディアに記録されるデジタル映像信号が出力されるようになされている。
【００３３】
次に、そのような映像信号の分割記録を行うための再生リストについて述べる。
図２に、記録される複数の映像信号で構成されるコンテンツデータを再生リストにより管理して再生する方法を示す。
【００３４】
同図に示すコンテンツは番組１、番組２、及び番組３が連続して記録されており、それらの番組を再生するためにリスト１〜リスト５が用いられる場合である。
【００３５】
そのリスト１は、番組１の最初の部分を開始（start）位置とし、番組１の最後の部分を終了（End）位置として指定することにより、番組１をリスト１再生部分として再生を行う。
【００３６】
同様にしてリスト２は、番組２の開始（start）位置より終了（End）位置までをリスト２再生部分として、またリスト３は番組３をリスト３再生部分として再生するためのリストである。
【００３７】
これらのリスト１〜３はそれぞれの番組１〜３を再生するためのリストであるが、リスト４は番組１を最初より最後まで再生して後に番組３の最初より最後までを再生するリストであり、リスト５は番組１の途中より番組２の途中までを再生した後に番組３の途中より最後までをリスト５再生部分として再生するためのリストである。
【００３８】
このようにして、ＡＶ（Audio Visual）信号のように連続した情報が伝送される場合であっても、そのＡＶ信号は複数のブロックに分割され、その分割されたブロックの信号の再生は各々のブロックの信号に対するリスト情報が作成され、その作成されたリスト情報によって再生されるブロック、及びその再生順序を定義することができるものである。
【００３９】
そのリスト情報により、分割されたＡＶ信号の所定個所を指定して再生を行なうことが出来るが、次にその再生をユーザが記録したフラグ、ないしは暗号化処理により制御されて行われる方法について述べる。
【００４０】
図３に、パスワードを用いて行う記録したコンテンツデータの再生制御が行われる様子を示し、その再生動作について述べる。
同図において、前述と同様に記録コンテンツデータとして番組１〜番組３が記録されているが、その中の番組２はパスワードにより再生ロック処理がなされている状態を番組２の部分に網点を付して示している。
【００４１】
そのパスワードによる再生ロックは、例えば番組２の頭部に例えばロックフラグを有するヘッダ信号が記録され、そのフラグ情報が０のときはロックされてない状態を、１のときはロックされている状態を示すようにするとき、番組２ヘッダのロックフラグが１とされている場合である。
【００４２】
このように、ロックフラグが１とされている番組２を再生するには、そのロックフラグと共に設定された番組２再生用パスワードと同一であるパスワードが入力操作されない限り番組２の再生は行われないようにされている。
【００４３】
図４に、番組の途中より再生ロックエリアが設定される場合の再生動作について示し、説明する。
同図において、番組１の途中より最後まで、及び番組２の最初より途中まで、そして番組３の途中より最後まで再生ロックエリアが設定されている。
【００４４】
その、例えばリスト４に示されるような途中から再生ロックエリアが設定されて記録される番組の再生では、番組１の最初より再生を開始し、途中の再生ロックエリアに達したときにパスワードの認証待ちとなり、記録メディアの読み出しが停止されてＭＰＥＧデコーダ３２からはスチル画像が映像信号出力として供給される。
【００４５】
そこで、ユーザ操作端子３５に接続される操作端末によりパスワードが供給され、認証されるとその場所より再生が再開され、番組１の再生終了後番組３が引き続き再生される。そして、番組３の再生ロックエリアに到達したときパスワードの認証が必要とされるが、番組３で設定されたパスワードが番組１の中途で設定されるパスワードと同一であるときは再度認証作業を行わずに番組３の再生が継続される。
【００４６】
リスト４の再生部分はこのようにして再生されるが、リスト５による再生動作も同様であり、番組１の中途の再生ロックエリアからがリスト５再生部分とされているため、最初にパスワードの認証処理を行い、認証がなされたときは番組２の中途までを再生し、続いて番組３の中途より再生を行う。
【００４７】
この場合も、番組の中途で設定されるパスワードと番組２の最初の部分で設定されているパスワードとが同一の場合は、番組１の再生終了後直ちに番組２の再生が開始されるようになされている。
【００４８】
以上のようにして、番組の中途で再生が開始、あるいは終了されるが、その中途の場所の指定は、それぞれの区間ごとに記録コンテンツデータを再生セルに分割し、それぞれの再生セルに対する再生リスト情報をヘッダなどの信号により持ち、そのヘッダに再生ロックフラッグを定義してロックエリアを指定することにより上述の動作を行なうようにする。
【００４９】
次に、そのロックエリアの指定に係る再生リスト情報の記述方法について述べる。
図５に再生リスト情報の構造を示す。
同図に示すように、再生リスト情報はエントリポイント情報構造体と区間情報構造体の２つの構造体よりなっている。
【００５０】
図６に、エントリポイント情報構造体の構造を示す。
同図において、そのエントリポイント情報構造体は最初にエントリポイント（ＥＰ）アドレスの個数を、次にその個数ｎに対するアドレスＥＰｎを１より順に記述する。
【００５１】
そのＥＰｎ情報構造体におけるアドレスは、映像信号をＭＰＥＧエンコーダにより符号化するとき、その符号化データを一時記憶するＶＢＶ（video buffering verifier）情報構造体において記憶されるＥＰｎ情報の記憶位置を示し、そのＶＢＶバッファ情報の先頭からの相対アドレス値として記述する。
【００５２】
図７に区間情報構造体の構造を示す。
その区間情報構造体エントリポイント情報構造体に隣接して記述される再生リスト情報であり、その再生リスト情報はリスト１情報より順にリストｍ情報までが記述される。
【００５３】
そして１つのリスト情報、例えばリスト１情報は再生セル１より再生セルｐ（ｐは自然数）までの情報で構成される。
図８に、その再生セルの構造を示す。
【００５４】
同図に示す再生セル１に格納されるデータは再生ロックフラッグ、パスワード、番組ナンバ、相対アドレス、開始ＰＴＭ値、終了ＰＴＭ値等の情報が順に記述され、この構造は再生セル２〜再生セルｐにおいても同様である。
【００５５】
これら情報の内の相対アドレスは、記録コンテンツデータの記録される先頭位置に対する相対アドレス値が、例えばバイト、セクタなどの単位を用いて記述される。
【００５６】
その相対アドレス値の後に記述される開始ＰＴＭ値、及び終了ＰＴＭ値におけるＰＴＭ値は、ＭＰＥＧのシステム規格（多重化規格）において、９０ｋＨｚもしくは２７ＭＨｚのクロック周波数で記録されるタイムスタンプで、ＭＰＥＧ規格ではＰＴＳ（Presentation Time Stamp）及びＤＴＳ(Decoding Time Stamp)と呼ばれるものである。
【００５７】
ここに示した例では、圧縮符号化されるコンテンツデータ情報の時間情報としてＤＴＳの方を記録する。そのＤＴＳは、映像信号の１ピクチャ（１フレームの画像）に１つの割合で記録されており、例えばＮＴＳＣ（national television system committee color television system）方式によるビデオ信号の場合は、９０ｋＨｚのクロック周波数の信号に対して３００３クロックの間隔で１ピクチャの信号が記録されるものである。
【００５８】
従って、この場合の映像信号に対するエントリポイントは、１ピクチャの信号毎、即ち１フレームの単位で映像の開始点、ないしは終了点の指定が出来ることとなり、その時間単位での再生ロックエリアの指定が可能となる。
【００５９】
その再生ロックエリアを指定するためのパスワードは、例えばアスキーコードによる８文字を８バイトとの領域で、又はテンキーにより５桁の０００００から９９９９９までの数字を操作により入力し、その入力されて供給される数字を１６進方で示される数字、例えば０ｘ１００００で除して得られる剰余０ｘ００００〜０ｘＦＦＦＦを２バイトの数としてそのパスワード領域に格納する方法がある。
【００６０】
以上、再生ロックエリアを指定してＡＶ信号を記録し、その記録した再生ロックエリア部信号の再生はパスワードを認証した後に行うようになすパーソナルロック記録再生装置の構成、動作、およびそのロックエリアを管理するヘッダ信号の構造について述べたが、そのパーソナルロック記録再生装置の構成、及び動作についてさらに述べる。
【００６１】
図９に、パーソナルロック記録再生装置の更に詳細な構成を示す。
そのパーソナルロック記録再生装置１０ａはＭＰＥＧエンコーダ１２、信号書き込み器１３、ユーザインタフェース１６ａ、再生リスト開始終了点作成器１７ａ、再生リスト情報作成器１７ｂ、記録制御器１７ｃ、記録メディア／データベース２１ａ、ＭＰＥＧデコーダ３２、信号読み出し器３３、再生リスト開始終了点指示器３７ａ、再生制御器３８、及びパスワード管理器３９より構成される。
【００６２】
次に、このように構成されるパーソナルロック記録再生装置１０ａの動作について述べる。
まず、記録されるべきＡＶ信号はユーザによりユーザインタフェース１６ａに接続される図示しないポインティングデバイスなどが操作されて記録されるべき領域が指定され、その領域に対してFREEを示す信号が開始終了点情報として再生生成され、リスト開始終了点作成器１７ａに供給される。
【００６３】
その再生リスト開始終了点作成器１７ａでは、供給されたFREEを示す信号は再生リスト情報作成器１７ｂに供給され、その再生リスト情報作成器１７ｂでは供給されたFREEを示す信号を記録制御器１７ｃに供給する。
【００６４】
その記録制御器１７ｃでは、供給されたFREEを示す信号を得た後に、供給される入力画像信号の符号化を開始させるための制御信号はＭＰＥＧエンコーダ１２に供給される。
【００６５】
そのＭＰＥＧエンコーダ１２では供給される入力画像の符号化を開始すると共に、符号化して得られる符号化信号は信号書き込み器１３に供給され、その符号化信号にはＭＰＥＧシステム規格で規定される方法により得られる符号化開始時点のタイムスタンプが開始ＰＴＭ値として、又は符号化終了時に生成されるタイムスタンプが終了ＰＴＭ値として生成され、それらの生成されたＰＴＭ値は再生リスト情報作成器１７ｂに供給される。
【００６６】
その再生リスト情報作成器１７ｂに供給されたＰＴＭ値は、符号化の開始された時点における圧縮データの最初の位置からのアドレス値、即ち相対アドレス値を、例えばバイト数、ないしはディスクメディアに記録される場合のセクタ数が単位とされて生成されるものである。
【００６７】
このようにして生成され、再生リスト情報作成器１７ｂに供給されたアドレス値は信号書き込み器１３に供給され、その信号書き込み器１３では供給された符号化信号とＰＴＭ値などを含む再生リスト情報は記録メディア／データベース２１ａに供給され、そこに内蔵される記録メディアに記録される。
【００６８】
その記録メディアはハードディスク、ＤＶＤ−ＲＡＭなどのランダムアクセスが可能な記録媒体であり、その記録媒体には再生セル毎に分割されたコンテンツデータに再生リスト情報がヘッダ信号として付加されて記録される。
【００６９】
但し、その記録媒体への記録方法がファイルシステムに対応した方法でなされ、独立した２つのファイルとして記録できる場合はコンテンツデータとヘッダ信号情報を別々のファイル信号として記録してもよい。
【００７０】
次に、このようにして記録されたコンテンツデータに対する再生ロックエリアの指定方法に係り、リスト情報を用いて指定する方法について述べる。
【００７１】
そのリスト情報を用いる場合のコンテンツの相対時間指定は、ユーザインターフェース１６ａより番組１のすべてを指定する場合、もしくはそのコンテンツを図示しないサーチ画面などによるグラフィックインターフェースなどで簡易再生方法により再生され、ユーザにより記録されたコンテンツの開始、及び終了点情報は再生リスト開始終了点作成器１７ａに供給される。
【００７２】
その再生リスト開始終了点作成器１７ａでは、供給されたコンテンツの開始、及び終了点情報は前述の図５〜８に示したフォーマットによる記述形式の信号に変換されると共に、それぞれの再生セルに分割されたコンテンツデータに対するパスワード設定が行われるか否かがユーザにより指定される。
【００７３】
そして、ユーザによりパスワード設定が行われるとして操作されたときは、付加すべきパスワードの内容に係る情報は再生リスト情報作成器１７ｂに供給され、該当する再生リストの再生ロックフラグが例えば１とされ、そのようにして生成された再生リスト情報は信号書き込み器１３に供給される。
【００７４】
その、信号書き込み器１３に供給されたそれらのコンテンツデータ及び再生リスト情報は記録メディアに記録されるが、既に再生リスト情報として記録された再生リスト情報がある場合はその記録内容が更新されるようにして、記録がなされる。
【００７５】
このようにしてコンテンツデータ及び再生リスト情報は記録メディアに記録されるが、次にその様にして記録されたデータの再生方法、特に再生ロックフラグが立てられているコンテンツデータの再生について述べる。
【００７６】
まず、記録メディアに記録されるコンテンツデータ及び再生リスト情報は記録メディア／データベース２１ａより再生され、再生されて得られるそれらの信号は信号読み出し器３３に供給される。
【００７７】
その信号読み出し器３３では、記録メディア／データベース２１ａから、再生リスト情報と、コンテンツデータが読み出され、それらの読み出された信号は図示しない表示器に表示される。
【００７８】
その表示器に表示された表示内容を基に、ユーザにより希望される再生リスト番号がユーザインタフェース１６ａを操作して得られ、その得られた再生リスト番号は再生リスト開始終了点指示器１７ａに供給される。
【００７９】
その再生リスト開始終了点指示器１７ａでは、供給された再生リスト番号を基に、その再生リスト番号に係る開始部及び終了部のエントリポイントアドレス値が得られ、その得られたアドレス値を基に記録メディアに記録されるファイルがアクセスされて再生される。
【００８０】
その再生されたファイル情報には、目的とする区間情報が記述されており、そのリスト情報の先頭の再生セルから再生を開始するための信号はパスワード管理器３９に供給される。
【００８１】
そのパスワード管理器３９では、再生セルの先頭にある再生ロックフラッグが０であるか、１であるかが判断され、１である場合にはパスワードの供給を要求するパスワード要求信号がユーザインターフェース１６ａに供給される。
【００８２】
そのユーザインターフェース１６ａでは、パスワード要求信号が供給されたときに、再生制御器３８に再生一時停止の制御信号が供給され、再生制御器３８ではその供給されたパスワード要求信号を基にして記録メディアの再生が一時停止されると共に、ＭＰＥＧデコーダ３２に対して動画モードをスチル画再生モードとするための再生モード切り替え信号がＭＰＥＧデコーダ３２に供給される。
【００８３】
その様にして、パスワード要求信号が供給されていることがユーザにより認識され、ユーザによりユーザインターフェース１６ａが操作されて得られるパスワード信号が供給されるときは、その供給されたパスワード信号はパスワード管理器３９に供給され、そこでは供給されたパスワードと再生セルエリアに記述されるパスワードとが比較され、一致するとして認証されたときＭＰＥＧデコーダ３２ではその再生セルよりの再生信号の復号が再開される。
【００８４】
そのような認証がなされないときＭＰＥＧデコーダ３２では、所定時間経過後に該当する再生セルの部分のコンテンツデータがスキップされ、次のパスワードの設定されない再生セルに係るコンテンツデータが復号され、復号して得られる出力画像はこのパーソナルロック記録再生装置１０ａより供給される。
【００８５】
このようにして、パーソナルロック記録再生装置１０ａでは、パスワードが認証されない場合は、再生が許可される出力画像信号をＭＰＥＧデコーダ３２により復号されたて出力画像信号が供給されると共に、その供給された出力画像信号は図示しないモニタ装置により表示されて、ユーザによる視聴がなされる。
【００８６】
以上、映像信号を所定区間に分割し、その分割された映像信号毎にその記録開始位置情報を含む再生セル情報に再生許可情報、ないしは再生許可用パスワード情報を含めて記録することにより視聴、ないしは消去制限を行うパーソナルロック記録再生装置の構成と、その動作について述べた。
【００８７】
そしてまた、番組予約録画などのように自動的に映像信号を記録するような場合では記録される映像信号に対して特定の位置を指定することはできなく、記録される番組全体に対して視聴、ないしは消去制限の情報が付されて行われることとなる。
【００８８】
そして、その視聴、ないしは消去制限に係る情報は記録が開始される映像信号の最初の位置に係る情報として持たせ、その情報は番組記録の一連の動作が終了するまで有効とする。
【００８９】
そのような場合であっても、記録される番組を分割する方法として例えば放送番組に挿入されるコマーシャルを検出し、そのコマーシャルに続いて放送が再開される位置を分割点として新たな再生セル情報を記録することとし、その再生セル情報には記録開始位置情報、及び視聴、ないしは消去制限に係る情報を記録する方法がある。
【００９０】
しかし、その放送番組がステレオ音声モードなどでコマーシャル位置を検出できない場合、さらにコマーシャル放送が挿入されない番組などの場合は一連の記録番組を分割することができなく、記録開始から記録終了までが１つの番組として記録されることとなり、再生セル情報はその番組の記録開始位置にのみ生成されることになる。
【００９１】
そのような、番組全体に対して１つの再生セル情報が付加されるような記録、及び再生に対して、その番組全体の視聴制限、ないしは消去制限を行うことを番組記録者が認識していれば、番組記録者はそれらの制限を番組視聴後に解除し、あるいは記録した番組を消去することにより、記録媒体の記録領域の有効利用に対する障害の少ない記録動作を行うことが出来る。
【００９２】
そして、このような視聴、ないしは消去制限は記録される映像信号は放送網を介して放送される番組、通信衛星などの媒体を介して伝送される番組、あるいは同軸ケーブル、光ケーブルなどの通信路を介して伝送されるＣＡＴＶに係る番組、そしてインタネットで多数ユーザに向けて発信されるインタネット放送等多くの種類の公衆伝送路を介して供給される番組がこの実施例における映像信号の対象となる。
【００９３】
ところで、これらの公衆伝送路を介して供給される映像信号の著作権に関し、現時点では映像信号供給者から著作権の家庭内での記録等の２次利用に関する特別な管理主張がされてなく、ユーザは供給される映像信号をＶＴＲ等により記録機に記録し、記録した映像信号をタイムシフト再生し、視聴することが許されている。
【００９４】
そのように現時点では、公衆網を介して供給される映像信号の家庭内２次利用に関する制限がなされるケースはないが、将来、仮に家庭内でのタイムシフト視聴を禁止するような放送、ないしは通信がなされる場合はその家庭内２次利用情報を含めて映像信号を記録する必要が生じることになる。
【００９５】
そして、そのときに家庭内２次利用禁止情報と共に伝送される映像信号の記録は、そのような禁止が定められた後に市場に導入される映像信号記録装置ではその禁止に対応した記録動作がなされるものであるが、それ以前に市場に導入される記録機ではそのような対応はなされない場合もある。
【００９６】
そこで、コンテンツ供給者がそのコンテンツの家庭内２次利用を禁止するか否かの情報ビットを設けてコンテンツの放送、通信を行うような伝送環境の整備ができれば、家庭内に設置される映像信号記録機は将来にわたり安心してユーザにより使用できるものである。
【００９７】
その映像信号記録再生装置は、例えば前述の図８に示す再生セルの信号フォーマットにコンテンツの権利主張に関する１ビットのフラグ記録領域を設け、そこにコンテンツ供給者から供給された許可、ないしは禁止情報を記録するようにして実現できる。
【００９８】
そのようにして、仮に供給されるコンテンツに係る新たな規制が将来設けられる場合であっても、その規制に対応した合法的なコンテンツの記録、再生ができることとなり、コンテンツ供給者から適切なコンテンツの供給が継続されることになる。
【００９９】
そして、そのようなコンテンツの家庭内２次利用に対して特別に権利主張のされない非暗号化映像信号が供給され、その記録の許可された映像信号がユーザ操作により記録され、その記録された内容が他のユーザにより視聴されたり、又消去されたりするなどの不本意な操作に対して再生セル情報により防止することができる。
【０１００】
このような特定ユーザにより視聴、ないしは消去制限の設定がなされる場合は、記録再生システムにおける記録装置と再生装置の両者は共通の装置である必要はなく、例えばホームバスにより結合されるホームサーバーが記録装置であり、各部屋に配置される端末装置が再生装置であるような場合であってもよく、そして特定の個人がそのネットワークを介して再生ロックフラグを付したコンテンツの記録を行い、記録されたコンテンツはその特定の個人のみにより視聴、及び消去がなされるようにして構成してもよい。
【０１０１】
そして、そのネットワークはホームバスである他に、特定個人がサービスプロバイダと契約し、サービスプロバイダのコンテンツ記録装置に対してその個人のコンテンツを記録し、記録されたコンテンツを他のユーザによる視聴、及び消去に対して保護するような構成であってもかまわない。
【０１０２】
以上のようにして、放送などのように複数のユーザに向けて同時に伝送される映像信号を分割し、分割して得られる映像信号毎にその記録部を特定するためのエントリポイント情報、再生ロックフラグ情報、及び再生ロックを解くためのパスワード情報などの再生リスト情報が付されて記録されたコンテンツデータの再生は、ユーザにより指定されて供給される再生リスト情報に基づいた再生を行うに際し、再生ロックフラグによりロックされたコンテンツデータはユーザが操作して供給されるパスワードとの認証作業が行われ、認証された場合にのみ再生動作を行うため、特定個人が記録したコンテンツの再生、及びその記録部の消去動作をロックすることができ、コンテンツの不要な視聴及び消去を防止するプライバシーロック機能を有するコンテンツ記録再生の方法、記録再生装置、及びコンテンツ記録媒体を提供することができる。
【図面の簡単な説明】
【０１０３】
【図１】本発明の好適な実施例であるパーソナルロック記録再生装置の概略の構成を示す図である。
【図２】複数の映像信号で構成されるコンテンツデータを再生リストにより管理する再生方法の例を示す図である。
【図３】再生ロックエリアが設定されて行われるコンテンツデータの再生方法の例を示す図である。
【図４】番組の途中より再生ロックエリアが設定され再生動作のなされる例を示す図である。
【図５】再生リスト情報の構造を例示したものである。
【図６】エントリポイント情報構造体の構造を例示したものである。
【図７】区間情報構造体の構造を例示したものである。
【図８】区間情報構造体における再生セルの構造を例示したものである。
【図９】本発明の実施におけるパーソナルロック記録再生装置の構成を例示した図である。
【符号の説明】
【０１０４】
１０、１０ａ  パーソナルロック記録再生装置
１１  映像信号入力端子
１２  ＭＰＥＧエンコーダ
１３  信号書き込み器
１５  ユーザ操作端子
１６、１６ａ  ユーザインタフェース
１７  再生リスト作成器
１７ａ  再生リスト開始終了点作成器
１７ｂ  再生リスト情報作成器
１７ｃ  記録制御器
１９  パスワード管理器
２１  記録メディア
２１ａ  記録メディア／データベース
３１  映像信号出力端子
３２  ＭＰＥＧデコーダ
３３  信号読み出し器
３５  ユーザ操作端子
３６  ユーザインタフェース
３７  再生リスト指示器
３７ａ  再生リスト開始終了点指示器
３８  再生制御器
３９  パスワード管理器
【図１】
2006179174.tif 000003
【図２】
2006179174.tif 000004
【図３】
2006179174.tif 000005
【図４】
2006179174.tif 000006
【図５】
2006179174.tif 000007
【図６】
2006179174.tif 000008
【図７】
2006179174.tif 000009
【図８】
2006179174.tif 000010
【図９】
2006179174.tif 000011